(57)【要約】      （修正有）【課題】雨水等の処理水を別の用水として活用すべく、効果的に貯水可能な貯水槽であって、かつ、余分な処理水を排水させることもでき、さらには、優れた浸透率を長期間維持することができる浸透槽としても利用可能な、複合的貯水槽を提供する。【解決手段】処理槽２の側面に流入口３が設けられるとともに貫通孔４が設けられ、流入口３から処理槽２内に流入された処理水Ｗが貫通孔４を介して排水される。処理槽２内に流入された処理水Ｗを処理槽２外へ排水可能とする排水管５が、処理槽２から離れるに従って上昇するように傾斜させた状態で貫通孔４に連結されている。【選択図】図１
0003159729.tif 000002
【実用新案登録請求の範囲】
【請求項１】
処理槽の側面に流入口が設けられるとともに貫通孔が設けられ、前記流入口から処理槽内に流入された処理水が前記貫通孔を介して排水されるようになっている貯水槽であって、
前記処理槽内に流入された処理水を前記処理槽外へ排水可能とする排水管が、前記処理槽から離れるに従って上昇するように傾斜させた状態で前記貫通孔に連結されていることを特徴とする貯水槽。
【請求項２】
前記貯水槽において、通水性を備える異物除去部材が、前記処理槽内へ着脱可能なように、処理槽内壁に沿って設けられていることを特徴とする請求項１に記載の貯水槽。
【請求項３】
前記貯水槽において、前記貫通孔が、前記処理槽の高さ方向に二以上設けられていることを特徴とする請求項１または請求項２に記載の貯水槽。
【請求項４】
前記貯水槽において、前記排水管が、前記貫通孔に対して着脱可能な構造となっていることを特徴とする請求項１から請求項３のいずれかに記載の貯水槽。
【請求項５】
前記貯水槽において、前記処理槽内に流入される処理水が、防火用水若しくは雑用水として貯留されることを特徴とする請求項１から請求項４のいずれかに記載の貯水槽。
【考案の詳細な説明】
【技術分野】
【０００１】
本考案は、貯水を目的として排水や浸透にも使用可能な水槽に関し、詳しくは、雨水等を別の用水として活用すべく、効果的に貯水し、また、異物を分離して排水若しくは地中に浸透させることも可能な貯水槽に関するものである。
【背景技術】
【０００２】
従来からある浸透槽としては、有底又は無底の中空状円柱や中空状角柱等からなる処理槽を、その軸方向が鉛直方向に延伸するように地中に埋設して使用するものが一般的に知られている。この浸透槽は、処理槽内に注入された汚水や雨水等の処理水が、処理槽の底面や、処理槽の側面に設けられた貫通孔から地中に排水されるように構成されている。
【０００３】
しかしながら、処理水にゴミや塵等の異物が含有されていると、異物により貫通孔が閉塞され、浸透率が低下する場合があった。
特許文献１では、浸透槽をなす処理槽の側面に設けられた貫通孔の閉塞を防止するために、貫通孔を鉛直方向に延伸する長孔とすることが提案されている。この特許文献１に記載の浸透槽によれば、貫通孔を閉塞させる原因となる異物が、水位の低下に伴って貫通孔をなす長穴に沿って落下するようになるため、正方形や円形の貫通孔を設けた場合と比べて、貫通孔の閉塞を防止することができる。
【０００４】
【特許文献１】実開平７−３１９８８号公報
【考案の開示】
【考案が解決しようとする課題】
【０００５】
しかしながら、上述した特許文献１に記載の浸透槽においては、処理水の浸透速度、水位の増減速度、及び異物の種類等により貫通孔が閉塞される場合があるため、異物による貫通孔の閉塞を完全に防止して、優れた浸透率を長期間維持するという点でさらなる改善の余地があった。
【０００６】
また、上述した特許文献１に記載の浸透槽においては、浸透槽の底部に異物による沈殿物が蓄積されると、沈殿物により貫通孔が閉塞される場合があった。ここで、上述した特許文献１に記載の浸透槽において、底部に蓄積された沈殿物を除去する保守作業を定期的に行えば、優れた浸透率を長期間維持することが可能となるが、メンテナンス性が良好ではなくなるという新たな不具合が生じる。
【０００７】
さらに、特許文献１に記載の浸透槽を含む従来の浸透槽は、単に処理水の地中浸透にのみ作用するものであって、該処理水を別の目的、例えば雑用水や防火用水等に使用すべく貯水するための貯水槽として、あるいは、処理水を他へ排水するための排水槽としてなど、目的に応じて複合的に作用させることが可能なものではなかった。
【０００８】
そこで、本考案は、上記事情に鑑みてなされたものであり、雨水等の処理水を別の用水として活用すべく、効果的に貯水可能な貯水槽であって、かつ、余分な処理水を排水させることもでき、さらには、優れた浸透率を長期間維持することができる浸透槽としても利用可能な、複合的な水槽を提供することを課題とするものである。
【課題を解決するための手段】
【０００９】
このような課題を解決するために、本考案の請求項１に係る貯水槽は、処理槽の側面に流入口が設けられるとともに貫通孔が設けられ、前記流入口から処理槽内に流入された処理水が前記貫通孔を介して排水されるようになっている貯水・排水・浸透槽であって、前記処理槽内に流入された処理水を前記処理槽外へ排水可能とする排水管が、前記処理槽から離れるに従って上昇するように傾斜させた状態で前記貫通孔に連結されている構成としている。
【００１０】
また、本考案の請求項２に係る貯水槽は、通水性を備える異物除去部材が、前記処理槽内へ着脱可能なように、処理槽内壁に沿って設けられている構成としている。
【００１１】
さらに、本考案の請求項３に係る貯水槽は、前記貫通孔が、前記処理槽の高さ方向に二以上設けられている構成としている。
【００１２】
そしてまた、本考案の請求項４に係る貯水槽は、前記排水管が、前記貫通孔に対して着脱可能な構造となっている構成となっている。
【００１３】
さらにまた、本考案の請求項５に係る貯水槽は、前記処理槽内に流入される処理水が、防火用水若しくは雑用水として貯留される構成となっている。
【考案の効果】
【００１４】
本考案に係る貯水槽によれば、排水管が処理槽から離れるに従って上昇するように傾斜させた状態で貫通孔に連結されている構成としたことから、排水時に処理槽から排水管へ異物の侵入を効果的に阻止することができ、異物による排水管の閉塞を効率よく防止できるため、優れた浸透率・排水率を長期間維持することができる。
【００１５】
また、本考案に係る貯水槽によれば、単に貯水槽としてだけではなく、排水槽にも浸透槽にも作用させることが可能であって、目的に応じて種々複合的な水槽として活用することが可能である。
【考案を実施するための最良の形態】
【００１６】
以下、本考案に係る貯水槽１の実施形態について図面を参照しながら説明する。
なお、本考案に係る貯水槽１は、以下に述べる実施形態や図示した構造に限定されるものではなく、本考案の趣旨・構成に逸脱しない範囲で適宜変更することができるものである。
【００１７】
図１は、本考案に係る貯水槽１の実施形態を示す断面図である。
この貯水槽１は、図１に示すように、有底の中空状円柱からなるコンクリート製の処理槽２で構成される。
なお、この処理槽２は、地中に掘削加工を施して設けた孔の内部に設置され、該処理槽２の外周面に割れ栗石や砂利を埋め戻すことで、地中に埋設されている。
【００１８】
かかる処理槽２には、その側面に流入口３が設けられており、該流入口３から処理水Ｗが処理槽２内に流入される。
また処理槽２には、その側面に貫通孔４が設けられている。なお、かかる貫通孔４の数について、特に限定はないが、前記処理槽２に対し一若しくは高さ方向に二以上設けられている構成とすることが考え得る。
【００１９】
前記貫通孔４には排水管５が連結されており、処理槽２内の処理水Ｗは該貫通孔４を介して排水管５へ排水される。かかる排水管５は、処理槽２から離れるに従って上昇するように、傾斜させた状態で連結される。
このとき、該排水管５の傾斜勾配については、特に限定はないが、例えば、貫通孔４の径の２．５倍ほど高い位置に排水管５の末端が位置する程度とすることが考え得る。
なお、前記処理槽２に対し複数の貫通孔４を設ける場合、夫々の貫通孔４に連結されている配水管５は、略同一勾配となっている。
【００２０】
ところで、前記排水管５は、処理槽２と一体成型されてもよいし、別体として前記貫通孔４に対して着脱可能な構造としてもよい。
着脱可能な構造である場合に、その着脱機構については特に限定はないが、例えば、処理槽２外面における貫通孔４部分を雄ネジ状に突出させるとともに、排水管５の連結側内周面に雌ネジ状部を備えさせることで、該雄ネジと雌ネジとを螺合することにより着脱する機構が考え得る。
【００２１】
前記処理槽２の内部において、異物除去部材６が該処理槽２内壁に沿って設けられている。かかる異物除去部材６は、処理槽２内に対し着脱可能となっており、該異物除去部材６を処理槽２内から引き上げることで、処理槽２内の処理水Ｗに浮遊した異物や処理水Ｗ内に沈殿している異物を、処理槽２内から除去することが可能となる。なお、該異物除去部材６は通水性を備えているため、異物の除去に際して処理水Ｗ自体は処理槽2に残したまま異物のみを処理槽２外へ除去することができる。
【００２２】
次に、本考案に係る貯水槽１における処理水Ｗの排水方法について以下に示す。
【００２３】
まず、処理槽２内に流入された処理水Ｗは、まず、処理槽２の内部に貯留され、最下端に位置する貫通孔４よりも水位が高くなると、排水管５を通過して排水される。
ここで、処理槽２においては、処理水Ｗに含有された異物のうち、比較的軽いものは、浮遊ゴミＹとして処理水Ｗの水面に浮かび、異物除去部材６により排水管５への侵入を阻止され、比較的重いものは、処理水Ｗが貫通孔４まで貯留されるまでの間に、処理槽２の底部に沈殿物Ｘとして蓄積される。これにより、排水管５からは、処理槽２において異物が除去された後の処理水Ｗが排水される。
【００２４】
このとき、処理槽２において最下端に位置する貫通孔４を設ける位置を変更することで、該処理槽２を貯水槽として作用させることが可能となる。
すなわち処理水Ｗは、最下端に位置する貫通孔４よりも水位が高くなった場合に処理槽２から排水されることとなるため、貯水すべき処理水Ｗの水量を考慮して該貫通孔４の最下端位置を変更することで、該貫通孔４の最下端位置まで貯蓄された処理水Ｗは、貯水としての役割を果たすこととなる。
また、本考案に係る貯水槽１によれば、かかる作用により必要以上の貯水を行わなくすることが可能であって、すなわち、不必要な貫通孔４の最下端位置より上方水位の処理水Ｗは、適宜排水管５から排水され、必要量の処理水Ｗのみを貯水することが可能である。
そして、前記処理槽２内に貯水された処理水Ｗについては、種々の利用目的、例えば防火用水や雑用水などに使用されることとなる。
【００２５】
前記排水管５を介して処理槽２外へ排水された処理水Ｗは、その後、地中へ浸透させたり、あるいは、別の場所へ排水されることとなる。
【００２６】
本考案に係る貯水槽１によれば、処理槽２の内部において異物除去部材６を設けたことにより、処理水Ｗの水位とともに移動する浮遊ゴミＹが貫通孔４から排水管５内に進入することなく、異物による排水管５の閉塞を防止できる。よって、汚水や雨水の浸透・排水速度、水位の増減速度、及び異物の種類等に係らず、異物による排水管５の閉塞を防止できるため、優れた浸透率・排水率を長期間維持することができる。
【００２７】
また、本考案に係る貯水槽１によれば、排水管５を、処理槽２から離れるに従って上昇するように傾斜させた状態で連結させたことにより、処理槽１の貫通孔４からの異物の侵入を効果的に阻止できる。
【００２８】
さらに、本考案に係る貯水槽１によれば、複数の貫通孔４及び排水管５を、処理槽２の高さ方向に所定間隔を空けて、略同一勾配で設ける構成を採用することにより、処理槽２の底部に異物の沈殿物Ｘが蓄積されて、最下端に位置する貫通孔４が閉塞された場合であっても、その直上に位置する貫通孔４及び排水管５を利用して、連続して処理槽２から排水を行うことができる。よって、上述した特許文献１に記載の浸透槽の場合と比べて、底部に蓄積された沈殿物Ｘを除去する保守作業を頻繁に行わなくても、優れた浸透率を長期間維持することができる。
【００２９】
なお、本考案に係る貯水槽１においては、処理槽２の底部に蓄積される沈殿物Ｘを除去する保守作業の頻度を少なくするために、処理槽２の鉛直方向の長さをできる限り長くすることが好ましい。
【００３０】
また、本考案に係る貯水槽１においては、貫通孔４を処理槽２の内側面に突出しないように略面一に設けた構成としたが、これに限らず、該貫通孔４を処理槽２の内部に突出した状態で設けるようにしてもよい。
【産業上の利用可能性】
【００３１】
本考案は以上の通りであって、単に貯水槽としてではなく、排水槽や浸透槽としての役割を果たすことのできる複合的な水槽として、その利用価値は非常に高いものであり、したがって本考案の産業上の利用可能性は極めて高いものと思量する。
【図面の簡単な説明】
【００３２】
【図１】本考案に係る貯水槽の実施形態を示す断面図である。
【符号の説明】
【００３３】
１    貯水槽
２    処理槽
３    流入口
４    貫通孔
５    排水管
６    異物除去部材
Ｗ    処理水
Ｘ    沈殿物
Ｙ    浮遊ゴミ
【図１】
0003159729.tif 000003